(57)【特許請求の範囲】
【請求項１】
記録媒体上に映像信号を記録トラック案内信号と共に記録する記録手段と、
上記記録媒体上に記録された映像信号を上記記録トラック案内信号と共に再生する再生手段と、
上記再生手段により再生された上記記録トラック案内信号が含まれている低周波数成分を抜き出す低周波数通過手段と、
上記低周波数成分が抜き出されたアナログの映像信号を後段の信号処理を容易にするためにデジタルビデオデータに変換するアナログ／デジタル変換手段と、
上記変換されたデジタルビデオデータの周波数成分から上記記録トラック案内信号の帯域を検出して上記記録トラック案内信号のエンベロープ波形を検波する検波手段と、
上記記録媒体の走行速度に応じて、上記記録トラック案内信号のエンベロープ波形を検出できるように検波出力に対する時定数を変化させてエンベロープ波形を抜き出す可変低周波数通過手段と、
を備えたことを特徴とする映像信号記録再生装置。
【請求項２】
請求項１記載の映像信号記録再生装置において、
上記記録媒体の走行速度が小さいときには上記検波出力に対する上記可変低周波数通過手段の時定数を長くし、上記記録媒体の走行速度が大きいときには上記検波出力に対する上記可変低周波数通過手段の時定数を短くするようにしたことを特徴とする映像信号記録再生装置。
【請求項３】
請求項１記載の映像信号記録再生装置において、
上記検波手段により検波され、上記可変低周波数通過手段によりエンベロープ波形が抜き出された上記記録トラック案内信号を、再生時の上記再生手段の駆動をするためのサーボ系の制御に用いるようにしたことを特徴とする映像信号記録再生装置。
【請求項４】
請求項１記載の映像信号記録再生装置において、
上記検波手段により検波され、上記可変低周波数通過手段によりエンベロープ波形が抜き出された上記記録トラック案内信号を、記録媒体の未記録判別に用いるようにしたことを特徴とする映像信号記録再生装置。
【請求項５】
請求項１記載の映像信号記録再生装置において、
上記検波手段により検波され、上記可変低周波数通過手段によりエンベロープ波形が抜き出された上記記録トラック案内信号を、トラックピッチの判別に用いるようにしたことを特徴とする映像信号記録再生装置。
【請求項６】
記録媒体上に映像信号を記録トラック案内信号と共に記録する記録ステップと、
上記記録媒体上に記録された映像信号を上記記録トラック案内信号と共に再生する再生ステップと、
上記再生ステップにより再生された上記記録トラック案内信号が含まれている低周波数成分を抜き出す低周波数通過ステップと、
上記低周波数成分が抜き出されたアナログの映像信号を後段の信号処理を容易にするためにデジタルビデオデータに変換するアナログ／デジタル変換ステップと、
上記変換されたデジタルビデオデータの周波数成分から上記記録トラック案内信号の帯域を検出して上記記録トラック案内信号のエンベロープ波形を検波する検波ステップと、
上記記録媒体の走行速度に応じて、上記記録トラック案内信号のエンベロープ波形を検出できるように検波出力に対する時定数を変化させてエンベロープ波形を抜き出す可変低周波数通過ステップと、
上記検波ステップにより検波され、上記可変低周波数通過ステップによりエンベロープ波形が抜き出された上記記録トラック案内信号を、再生時の上記再生ステップの駆動をするためのサーボ系の制御に用いる制御ステップと、
を備えたことを特徴とする映像信号記録再生方法。
【請求項７】
請求項６記載の映像信号記録再生方法において、
上記記録媒体の走行速度が小さいときには上記検波出力に対する上記可変低周波数通過ステップの時定数を長くし、上記記録媒体の走行速度が大きいときには上記検波出力に対する上記可変低周波数通過ステップの時定数を短くするようにしたことを特徴とする映像信号記録再生方法。
【請求項８】
請求項６記載の映像信号記録再生方法において、
上記検波ステップにより検波され、上記可変低周波数通過ステップによりエンベロープ波形が抜き出された上記記録トラック案内信号を、記録媒体の未記録判別に用いるようにしたことを特徴とする映像信号記録再生方法。
【請求項９】
請求項６記載の映像信号記録再生方法において、
上記検波ステップにより検波され、上記可変低周波数通過ステップによりエンベロープ波形が抜き出された上記記録トラック案内信号を、トラックピッチの判別に用いるようにしたことを特徴とする映像信号記録再生方法。
【発明の詳細な説明】
【０００１】
【発明の属する技術分野】
本発明は、記録媒体に記録された映像信号を再生させる映像信号記録再生装置及び映像信号記録再生方法に関する。
【０００２】
【従来の技術】
従来、カメラ一体型８ミリビデオテープレコーダ（以下、「カメラ一体型８ミリＶＴＲ」という。）は、カメラ部とＶＴＲ部とにより構成され、カメラ部により撮像された被写体の映像が電気信号に変換され、ＶＴＲ部により所定の信号処理を施された後に磁気テープに磁気記録されるようになされていた。
【０００３】
そして、ＶＴＲ部で磁気テープに記録された映像信号は再生されてモニタに供給され、映像信号の画像を表示するようにしていた。
【０００４】
ここで、ＶＴＲ部では再生時に磁気記録信号が記録されているトラックをビデオヘッドが踏み外さずにトレースできるように記録時にＡＴＦ（Ａｕｔｏｍａｔｉｃ  Ｔｒａｃｋ  Ｆｉｎｄｉｎｇ）方式によるパイロット信号が記録されていた。
【０００５】
【発明が解決しようとする課題】
しかし、上述した従来のカメラ一体型８ミリＶＴＲでは、このようなＡＴＦパイロット信号を再生時に検波する際には、水晶によって生成された固定の周波数を分周することにより、リファレンス周波数を作り出し、それを再生ＲＦ信号と掛け合わせてフィルタリングすることにより、隣接トラックのクロストーク成分を抜き出すという手法が用いられていた。
【０００６】
この場合、再生ＡＴＦパイロット信号からＡＴＦエラー信号（｜ｆ１｜−｜ｆ３｜信号，または｜ｆ２｜−｜ｆ４｜信号、ここで、｜ｆ１｜はｆ１パイロット信号のエンベロープ値、｜ｆ２｜はｆ２パイロット信号のエンベロープ値、｜ｆ３｜はｆ３パイロット信号のエンベロープ値、｜ｆ４｜はｆ４パイロット信号のエンベロープ値である。）を作成している。この目的は、ＡＴＦサーボをかけるためとテープのＳＰ（スタンダードプレイ：標準トラックピッチ）／ＬＰ（ロングプレイ：狭トラックピッチ）の判別を行うためである。ＡＴＦパイロット信号は、１トラックに１パイロットずつ、ｆ１，ｆ２，ｆ３，ｆ４の順で記録される。このため、再生系、ＦＦ（早送り）／ＲＥＷ（巻き戻し）系のときのキャプスタンの速度に従って、このＡＴＦエラー信号の信号周波数は変化する。
【０００７】
例えば、エンベロープ波形の周波数が、ＮＴＳＣ方式の再生時には６０Ｈｚ／４＝１５Ｈｚ、ＮＴＳＣ×２５倍速時には６０Ｈｚ×２５／４＝３７５Ｈｚ、ただし、ドラムスピード補正は考えないものとする。
【０００８】
従来の再生時のＡＴＦ信号の使用方法のみでは固定時定数を使用していたが、高倍速テープ送り時（ＦＦ／ＲＥＷ）にはＡＴＦパイロット信号を使用していなかった。
【０００９】
そのため、通常再生時のみを考えれば、検波出力のＣ／Ｎ比を上げるため、検波器のＬＰＦの時定数を長くしたいが、そうすると、高倍速テープ送り時にエンベロープ信号が出にくくなる。
【００１０】
従来の検波回路は、アナログＩＣと抵抗、およびコンデンサで構成され、時定数は固定で使用していた。そのため、この時定数を変えようとすると、コンデンサまたは抵抗と時定数切り替え用のトランジスタが必要となり、部品が増加すという不都合があった。
【００１１】
本発明は以上の点を考慮してなされたもので、どのようなキャプスタン速度においても正確なＡＴＦパイロット信号のエンベロープ波形の検出を行うことができる映像信号記録再生装置及び映像信号記録再生方法を提案しようとするものである。
【００１２】
【課題を解決するための手段】
かかる課題を解決するため本発明の映像信号記録再生装置は、記録媒体上に映像信号を記録トラック案内信号と共に記録する記録手段と、上記記録媒体上に記録された映像信号を上記記録トラック案内信号と共に再生する再生手段と、上記再生手段により再生された上記記録トラック案内信号が含まれている低周波数成分を抜き出す低周波数通過手段と、上記低周波数成分が抜き出されたアナログの映像信号を後段の信号処理を容易にするためにデジタルビデオデータに変換するアナログ／デジタル変換手段と、上記変換されたデジタルビデオデータの周波数成分から上記記録トラック案内信号の帯域を検出して上記記録トラック案内信号のエンベロープ波形を検波する検波手段と、上記記録媒体の走行速度に応じて、上記記録トラック案内信号のエンベロープ波形を検出できるように検波出力に対する時定数を変化させてエンベロープ波形を抜き出す可変低周波数通過手段と、を備えたものである。
【００１３】
また、この発明の映像信号記録再生方法は、記録媒体上に映像信号を記録トラック案内信号と共に記録する記録ステップと、上記記録媒体上に記録された映像信号を上記記録トラック案内信号と共に再生する再生ステップと、上記再生ステップにより再生された上記記録トラック案内信号が含まれている低周波数成分を抜き出す低周波数通過ステップと、上記低周波数成分が抜き出されたアナログの映像信号を後段の信号処理を容易にするためにデジタルビデオデータに変換するアナログ／デジタル変換ステップと、上記変換されたデジタルビデオデータの周波数成分から上記記録トラック案内信号の帯域を検出して上記記録トラック案内信号のエンベロープ波形を検波する検波ステップと、上記記録媒体の走行速度に応じて、上記記録トラック案内信号のエンベロープ波形を検出できるように検波出力に対する時定数を変化させてエンベロープ波形を抜き出す可変低周波数通過ステップと、上記検波ステップにより検波され、上記可変低周波数通過ステップによりエンベロープ波形が抜き出された上記記録トラック案内信号を、再生時の上記再生ステップの駆動をするためのサーボ系の制御に用いる制御ステップと、を備えたものである。
【００１４】
本発明の映像信号記録再生装置によれば、以下の作用をする。
記録手段は記録媒体上に映像信号を記録トラック案内信号と共に記録するように作用する。再生手段は上記記録媒体上に記録された映像信号を上記記録トラック案内信号と共に再生するように作用する。低周波数通過手段は上記再生手段により再生された上記記録トラック案内信号が含まれている低周波数成分を抜き出すように作用する。アナログ／デジタル変換手段は上記低周波数成分が抜き出されたアナログの映像信号を後段の信号処理を容易にするためにデジタルビデオデータに変換するように作用する。検波手段は上記変換されたデジタルビデオデータの周波数成分から上記記録トラック案内信号の帯域を検出して上記記録トラック案内信号のエンベロープ波形を検波するように作用する。可変低周波数通過手段は上記記録媒体の走行速度に応じて、上記記録トラック案内信号のエンベロープ波形を検出できるように検波出力に対する時定数を変化させてエンベロープ波形を抜き出すように作用する。
【００１５】
本発明の映像信号記録再生方法によれば、以下の作用をする。
記録ステップは記録媒体上に映像信号を記録トラック案内信号と共に記録するように作用する。再生ステップは上記記録媒体上に記録された映像信号を上記記録トラック案内信号と共に再生するように作用する。低周波数通過ステップは上記再生ステップにより再生された上記記録トラック案内信号が含まれている低周波数成分を抜き出すように作用する。アナログ／デジタル変換ステップは上記低周波数成分が抜き出されたアナログの映像信号を後段の信号処理を容易にするためにデジタルビデオデータに変換するように作用する。検波ステップは上記変換されたデジタルビデオデータの周波数成分から上記記録トラック案内信号の帯域を検出して上記記録トラック案内信号のエンベロープ波形を検波するように作用する。可変低周波数通過ステップは上記記録媒体の走行速度に応じて、上記記録トラック案内信号のエンベロープ波形を検出できるように検波出力に対する時定数を変化させてエンベロープ波形を抜き出すように作用する。
【００１６】
【発明の実施の形態】
以下、適宜図面を参照しながら本発明の実施の形態を詳述する。本実施の形態の映像信号記録再生装置は、カメラ一体型８ミリＶＴＲで記録された映像信号の再生時におけるトラッキングを自動的に行うために、再生時に磁気記録信号が記録されているトラックをビデオヘッドが踏み外さずにトレースできるように記録時にＡＴＦ（Ａｕｔｏｍａｔｉｃ  Ｔｒａｃｋ  Ｆｉｎｄｉｎｇ）方式により記録されたパイロット信号のエンベロープ波形の検波フィルターの周波数特性をテープ速度に応じて検波時定数を変化させる場合に適用されるものである。
【００１７】
図１は、本発明の実施の形態に係る映像信号記録再生装置の構成を示すブロック図である。
すなわちこの映像信号記録再生装置が適用されるカメラ一体型８ミリＶＴＲは、図示しないカメラ部とＶＴＲ部とにより構成され、カメラ部により撮像された被写体の映像が電気信号に変換され、ＶＴＲ部により所定の信号処理を施された後にＡＴＦパイロット信号と共に磁気テープに磁気記録されるようになされていた。
【００１８】
本実施の形態の映像信号記録再生装置は、テープ１にヘリカルトラックを形成することにより映像信号を記録し、このヘリカルトラックを走査（スキャン）することにより映像信号を再生する記録再生ヘッド２と、記録再生ヘッド２の回転駆動系及び、記録再生ヘッド２により再生された映像信号の高周波増幅を行う再生アンプ３と、再生アンプ３の再生ＲＦ信号のＡＴＦパイロット信号ｆ１，ｆ２，ｆ３，ｆ４が含まれている低周波数成分を抜き出すＬＰＦ４と、ＬＰＦ４により抜き出されたアナログの映像信号を後段の信号処理を容易にするためにデジタルビデオデータに変換するアナログ／デジタル変換器５（Ａ／Ｄ変換器５）と、を有して構成される。
【００１９】
また、この本実施の形態の映像信号記録再生装置は、ＬＰＦ４により取り出されたデジタルの周波数成分からＡＴＦパイロット信号ｆ１，ｆ２，ｆ３，ｆ４の帯域を検出してエンベロープ検波するｆ１ＢＰＦ（ＢａｎｄＰａｓｓ  Ｆｉｌｔｅｒ）＋エンベロープ検波回路６，ｆ２ＢＰＦ＋エンベロープ検波回路７，ｆ３ＢＰＦ＋エンベロープ検波回路８，ｆ４ＢＰＦ＋エンベロープ検波回路９（各ＡＴＦパイロット信号ｆ１，ｆ２，ｆ３，ｆ４に対応して４つ設けられている。）と、ＡＴＦパイロット信号ｆ１，ｆ２，ｆ３，ｆ４に対応して周波数特性可変なＬＰＦ１０，ＬＰＦ１１，ＬＰＦ１２，ＬＰＦ１３と，ＬＰＦ１０〜ＬＰＦ１３の出力からＡＴＦパイロット信号の位相エラーを演算するＡＴＦ位相エラー演算部１４と、ＬＰＦ１０〜ＬＰＦ１３の出力からテープ１のＳＰ（スタンダードプレイ：標準トラックピッチ）／ＬＰ（ロングプレイ：狭トラックピッチ）の判別を行うＳＰ／ＬＰ検出器１５と、ＬＰＦ１０〜ＬＰＦ１３の出力からテープ１の未記録を検出するバージンテープ検出器１６と、を有して構成される。
【００２０】
また、この本実施の形態の映像信号記録再生装置は、テープ１を走行させるキャプスタンの回転駆動系のキャプスタンモータ１７と、キャプスタンモータ１７の回転周波数信号であるキャプスタンＦＧを検出するキャプスタンＦＧ検出素子１８と、キャプスタンＦＧの波形を整形するキャプスタンＦＧ波形整形回路１９と、波形整形されたキャプスタンＦＧの周期を検出するキャプスタンＦＧ周期検出回路２０と、キャプスタンＦＧ周期に応じたＬＰＦ１０〜１３の時定数を決定するＬＰＦ時定数決定回路２１とを有して構成される。
【００２１】
このように構成された本実施の形態の映像信号記録再生装置は、以下のような動作をする。
すなわちこの映像信号記録再生装置が適用されるカメラ一体型８ミリＶＴＲにおいては、図示しないカメラ部により撮像された被写体の映像が電気信号に変換され、ＶＴＲ部により所定の信号処理を施された後に磁気テープにＡＴＦパイロット信号と共に磁気記録される。
【００２２】
以下、再生動作について図２のＰＢ（再生）  ＡＴＦパイロット信号検波系の動作波形図（変速再生時）を参照しながら説明する。
ユーザーが図示しない再生ボタンを押すと、図示しない制御部のマイコンに対して記録再生ヘッド２のドラムモータ及び図示しないキャプスタンモータ１７に対する再生動作のコマンドを生成させる入力指示が行われる。マイコンは、この再生ボタンによる入力指示を検出し、記録再生ヘッド２及びキャプスタンモータ１７のサーボ系を制御するように記録再生ヘッド２にサーボをかける。具体的には、記録再生ヘッド２を回転制御させるドラムサーボと、記録再生ヘッド２に対してテープ１を所定角度にわたって記録再生ヘッド２の周囲に巻き付ける状態でテープ１を走行制御させるキャプスタンサーボとを用いる。
【００２３】
このサーボが安定すると、記録再生ヘッド２が各ヘリカルトラックを走査して得られた磁気記録信号を電気信号に変換する。このようにして記録再生ヘッド２がヘリカルトラックを順次走査することにより映像信号が再生される。記録再生ヘッド２から得られる微小レベルの再生信号は再生アンプ３に供給され、後段の信号処理可能なレベルに増幅される。再生アンプ３により増幅された映像信号はＬＰＦ４に供給され、ＡＴＦパイロット信号ｆ１，ｆ２，ｆ３，ｆ４が含まれている低周波数成分が抜き出される。ＬＰＦ４により抜き出されたアナログの映像信号はＡ／Ｄ変換器５に供給され、再生されたアナログの映像信号を後段の信号処理を容易にするためにデジタルビデオデータに変換される。
【００２４】
ＬＰＦ４により取り出されたデジタルの周波数成分はそれぞれｆ１ＢＰＦ＋エンベロープ検波回路６，ｆ２ＢＰＦ＋エンベロープ検波回路７，ｆ３ＢＰＦ＋エンベロープ検波回路８，ｆ４ＢＰＦ＋エンベロープ検波回路９に供給され、ＡＴＦパイロット信号ｆ１，ｆ２，ｆ３，ｆ４の帯域がそれぞれ検出されてエンベロープ検波が行われる。ここで、図２Ａにｆ１ＢＰＦ出力の動作波形図を示す。ｆ１ＢＰＦ出力は０を中心として所定振幅を有する約１００ｋＨｚの信号となる。図２Ｂにｆ１エンベロープ出力を示す。ｆ１エンベロープ出力はｆ１ＢＰＦ出力を半波検出して、０からプラスの振幅を有する三角波となる。
【００２５】
各ＡＴＦパイロット信号ｆ１，ｆ２，ｆ３，ｆ４に対応してエンベロープ検波されたエンベロープ検波出力はそれぞれＬＰＦ１０〜ＬＰＦ１３に供給され、ＡＴＦパイロット信号ｆ１，ｆ２，ｆ３，ｆ４に対応した周波数帯域でキャプスタンＦＧ周期に対応した時定数により周波数特性が可変される。図２Ｃにｆ１ＬＰＦ出力を示す。ｆ１ＬＰＦ出力は検波したいエンベロープ信号の周波数に対し、時定数が小さいときに比べて時定数が大きすぎると検出したエンベロープ信号の波形が減衰して小さくなってしまう。上述ではｆ１の動作のみを示したが、各ＡＴＦパイロット信号ｆ１，ｆ２，ｆ３，ｆ４に対応した動作がなされる。
【００２６】
ここで、キャプスタンモータ１７によりテープ１が走行制御され、キャプスタンＦＧ検出素子１８にキャプスタンＦＧが供給され、キャプスタンモータ１７の回転周波数信号であるキャプスタンＦＧが検出される。キャプスタンＦＧはキャプスタンＦＧ波形整形回路１９に供給され、キャプスタンＦＧの波形が整形される。波形整形されたキャプスタンＦＧはキャプスタンＦＧ周期検出回路２０に供給され、キャプスタンＦＧの周期が検出される。キャプスタンＦＧの周期はＬＰＦ時定数決定回路２１に供給され、キャプスタンＦＧ周期に応じたＬＰＦ１０〜１３の時定数が決定され、キャプスタンＦＧ周期に応じたＬＰＦ１０〜１３の時定数がＬＰＦ１０〜１３に供給されている。ＬＰＦ時定数決定回路２１は、テープ速度が速いときは、エンベロープ波形周波数が高いので、ＬＰＦ時定数を短めに設定し、テープ速度が遅いときは、ＬＰＦ時定数を長めに設定するように動作する。
【００２７】
ＬＰＦ１０〜ＬＰＦ１３の出力はＡＴＦ位相エラー演算部１４に供給され、ＬＰＦ１０〜ＬＰＦ１３の出力からＡＴＦパイロット信号の位相エラーが演算される。これにより、安定したＡＴＦパイロット信号によりトラッキングサーボをかけることができる。また、ＬＰＦ１０〜ＬＰＦ１３の出力はＳＰ／ＬＰ検出器１５に供給され、ＬＰＦ１０〜ＬＰＦ１３の出力からテープ１のＳＰ（スタンダードプレイ：標準トラックピッチ）／ＬＰ（ロングプレイ：狭トラックピッチ）の判別が行われる。これにより、適正なエンベロープの周波数を検出することにより、ＳＰ／ＬＰの判別を安定して行うことができる。また、ＬＰＦ１０〜ＬＰＦ１３の出力はバージンテープ検出器１６に供給され、ＬＰＦ１０〜ＬＰＦ１３の出力からテープ１の未記録が検出される。これにより、適正なエンベロープを検出することにより、バージンテープ（未記録テープ）の判別を検出精度を上げて行うことができる。
【００２８】
上述した本実施の形態の映像信号記録再生装置によれば、テープ速度が遅いとき（通常再生時）においては、再生ＡＴＦパイロット信号の検波出力に対するＬＰＦ１０〜１３の時定数を長くすることで、検出されたＰＢ  ＡＴＦパイロット信号のＣ／Ｎが上がる。これにより、第１に、安定したＡＴＦサーボをかけることができる。第２に、エンベロープの周波数からのＳＰ／ＬＰ検出を、ノイズに強く、安定して行うことができる。第３に、バージンテープの検出の精度が向上する。
【００２９】
また、テープ速度が速いとき（ＦＦ（早送り）／ＲＥＷ（巻き戻し）時等）においては、再生ＡＴＦパイロット信号のエンベロープ波形を検出できる程度に検波出力に対するＬＰＦ１０〜１３の時定数を短くすることで、高倍速の時でも、第１に、ＡＴＦサーボをかけることができる。第２に、エンベロープの周波数からのＳＰ／ＬＰ検出を行うことができる。第３に、エンベロープ波形のピーク検出方式によりバージンテープの検出を行うことができる。
【００３０】
本実施の形態の映像信号記録再生装置は、記録媒体としてのテープ１上に映像信号を記録トラック案内信号（ＡＴＦパイロット信号）と共に記録する記録手段としての記録再生ヘッド２と、記録媒体上に記録された映像信号を記録トラック案内信号と共に再生する再生手段としての記録再生ヘッド２と、再生手段により再生された記録トラック案内信号のエンベロープ波形の検波を検波フィルターとしてのＬＰＦ１０〜１３により行う検波手段であって、検波フィルターの周波数特性について、再生手段による記録媒体の走行速度に応じて、検波フィルターの検波時定数を変化させるようにした検波手段としてのｆ１ＢＰＦ＋エンベロープ検波回路６〜ｆ４ＢＰＦ＋エンベロープ検波回路９、ＬＰＦ１０〜１３とを備えたので、記録トラック案内信号の検波出力に対する検波時定数を変化することで、検出された記録トラック案内信号のＣ／Ｎを向上させることができ、これにより、第１に、安定したＡＴＦサーボをかけることができる。第２に、エンベロープの周波数からのＳＰ／ＬＰ検出を、ノイズに強く、安定して行うことができる。第３に、バージンテープの検出の精度を向上させることができる。
【００３１】
また、本実施の形態の映像信号記録再生装置は、上述において、記録媒体の走行速度が小さい（遅い）ときには検波フィルターの時定数を長くし、記録媒体の走行速度が大きい（速い）ときには検波フィルターの時定数を短くするようにしたので、テープ速度が遅いとき（通常再生時）においては、記録トラック案内信号の検波出力に対する検波フィルターの時定数を長くすることで、検出された記録トラック案内信号のＣ／Ｎを向上させることができ、また、テープ速度が速いとき（ＦＦ（早送り）／ＲＥＷ（巻き戻し）時等）においては、記録トラック案内信号のエンベロープ波形を検出できる程度に検波出力に対する検波フィルターの時定数を短くすることで、高倍速の時でも、第１に、ＡＴＦサーボをかけることができ、第２に、エンベロープの周波数からのＳＰ／ＬＰ検出を行うことができ、第３に、エンベロープ波形のピーク検出方式によりバージンテープの検出を行うことができる。
【００３２】
また、本実施の形態の映像信号記録再生装置は、上述において、検波手段により検波された記録トラック案内信号を、再生時の再生手段の駆動をするためのサーボ系の制御に用いるようにしたので、Ｃ／Ｎのよい記録トラック案内信号を得ることができ、これにより、安定したＡＴＦサーボをかけることができる。
【００３３】
また、本実施の形態の映像信号記録再生装置は、上述において、検波手段により検波された記録トラック案内信号を、記録媒体の未記録判別に用いるようにしたので、Ｃ／Ｎのよい記録トラック案内信号を得ることができ、これにより、バージンテープの検出の精度を向上させることができる。
【００３４】
また、本実施の形態の映像信号記録再生装置は、上述において、検波手段により検波された記録トラック案内信号を、トラックピッチの判別に用いるようにしたので、Ｃ／Ｎのよい記録トラック案内信号を得ることができ、これにより、エンベロープの周波数からのＳＰ／ＬＰ検出を行うことができる。
【００３５】
また、本実施の形態の映像信号記録再生方法は、記録媒体上に映像信号を記録トラック案内信号と共に記録する記録ステップと、記録媒体上に記録された映像信号を記録トラック案内信号と共に再生する再生ステップと、再生ステップにより再生された記録トラック案内信号の周波数の検出を行う検出ステップのエンベロープ波形の検波を検波フィルターにより行う検波ステップであって、検波フィルターの周波数特性について、再生ステップによる記録媒体の走行速度に応じて、検波フィルターの検波時定数を変化させるようにした検波ステップと、検波ステップにより検波された記録トラック案内信号を、再生時の再生ステップの駆動をするためのサーボ系の制御に用いる制御ステップとを備えたので、記録トラック案内信号の検波出力に対する検波時定数を変化することで、検出された記録トラック案内信号のＣ／Ｎを向上させることができ、これにより、第１に、安定したＡＴＦサーボをかけることができる。第２に、エンベロープの周波数からのＳＰ／ＬＰ検出を、ノイズに強く、安定して行うことができる。第３に、バージンテープの検出の精度を向上させることができる。
【００３６】
また、本実施の形態の映像信号記録再生方法は、上述において、記録媒体の走行速度が小さいときには検波フィルターの時定数を長くし、記録媒体の走行速度が大きいときには検波フィルターの時定数を短くするようにしたので、テープ速度が遅いとき（通常再生時）においては、記録トラック案内信号の検波出力に対する検波フィルターの時定数を長くすることで、検出された記録トラック案内信号のＣ／Ｎを向上させることができ、また、テープ速度が速いとき（ＦＦ（早送り）／ＲＥＷ（巻き戻し）時等）においては、記録トラック案内信号のエンベロープ波形を検出できる程度に検波出力に対する検波フィルターの時定数を短くすることで、高倍速の時でも、第１に、ＡＴＦサーボをかけることができ、第２に、エンベロープの周波数からのＳＰ／ＬＰ検出を行うことができ、第３に、エンベロープ波形のピーク検出方式によりバージンテープの検出を行うことができる。
【００３７】
また、本実施の形態の映像信号記録再生方法は、上述において、検波手段により検波された記録トラック案内信号を、記録媒体の未記録判別に用いるようにしたので、Ｃ／Ｎのよい記録トラック案内信号を得ることができ、これにより、バージンテープの検出の精度を向上させることができる。
【００３８】
また、本実施の形態の映像信号記録再生方法は、上述において、検波手段により検波された記録トラック案内信号を、トラックピッチの判別に用いるようにしたので、Ｃ／Ｎのよい記録トラック案内信号を得ることができ、これにより、エンベロープの周波数からのＳＰ／ＬＰ検出を行うことができる。
【００３９】
【発明の効果】
本発明の映像信号記録再生装置は、記録媒体上に映像信号を記録トラック案内信号と共に記録する記録手段と、上記記録媒体上に記録された映像信号を上記記録トラック案内信号と共に再生する再生手段と、上記再生手段により再生された上記記録トラック案内信号のエンベロープ波形の検波を検波フィルターにより行う検波手段であって、上記検波フィルターの周波数特性について、上記再生手段による上記記録媒体の走行速度に応じて、上記検波フィルターの検波時定数を変化させるようにした検波手段とを備えたので、記録トラック案内信号の検波出力に対する検波時定数を変化することで、検出された記録トラック案内信号のＣ／Ｎを向上させることができ、これにより、第１に、安定したＡＴＦサーボをかけることができる。第２に、エンベロープの周波数からのＳＰ／ＬＰ検出を、ノイズに強く、安定して行うことができる。第３に、バージンテープの検出の精度を向上させることができるという効果を奏する。
【００４０】
また、本発明の映像信号記録再生装置は、上述において、上記記録媒体の走行速度が小さいときには上記検波フィルターの時定数を長くし、上記記録媒体の走行速度が大きいときには上記検波フィルターの時定数を短くするようにしたので、テープ速度が遅いとき（通常再生時）においては、記録トラック案内信号の検波出力に対する検波フィルターの時定数を長くすることで、検出された記録トラック案内信号のＣ／Ｎを向上させることができ、また、テープ速度が速いとき（ＦＦ（早送り）／ＲＥＷ（巻き戻し）時等）においては、記録トラック案内信号のエンベロープ波形を検出できる程度に検波出力に対する検波フィルターの時定数を短くすることで、高倍速の時でも、第１に、ＡＴＦサーボをかけることができ、第２に、エンベロープの周波数からのＳＰ／ＬＰ検出を行うことができ、第３に、エンベロープ波形のピーク検出方式によりバージンテープの検出を行うことができるという効果を奏する。
【００４１】
また、本発明の映像信号記録再生装置は、上述において、上記検波手段により検波された上記記録トラック案内信号を、再生時の上記再生手段の駆動をするためのサーボ系の制御に用いるようにしたので、Ｃ／Ｎのよい記録トラック案内信号を得ることができ、これにより、安定したＡＴＦサーボをかけることができるという効果を奏する。
【００４２】
また、本発明の映像信号記録再生装置は、上述において、上記検波手段により検波された上記記録トラック案内信号を、記録媒体の未記録判別に用いるようにしたので、Ｃ／Ｎのよい記録トラック案内信号を得ることができ、これにより、バージンテープの検出の精度を向上させることができるという効果を奏する。
【００４３】
また、本発明の映像信号記録再生装置は、上述において、上記検波手段により検波された上記記録トラック案内信号を、トラックピッチの判別に用いるようにしたので、Ｃ／Ｎのよい記録トラック案内信号を得ることができ、これにより、エンベロープの周波数からのＳＰ／ＬＰ検出を行うことができるという効果を奏する。
【００４４】
また、本発明の映像信号記録再生方法は、記録媒体上に映像信号を記録トラック案内信号と共に記録する記録ステップと、上記記録媒体上に記録された映像信号を上記記録トラック案内信号と共に再生する再生ステップと、上記再生ステップにより再生された上記記録トラック案内信号の周波数の検出を行う検出ステップのエンベロープ波形の検波を検波フィルターにより行う検波ステップであって、上記検波フィルターの周波数特性について、上記再生ステップによる上記記録媒体の走行速度に応じて、上記検波フィルターの検波時定数を変化させるようにした検波ステップと、上記検波ステップにより検波された上記記録トラック案内信号を、再生時の上記再生ステップの駆動をするためのサーボ系の制御に用いる制御ステップとを備えたので、記録トラック案内信号の検波出力に対する検波時定数を変化することで、検出された記録トラック案内信号のＣ／Ｎを向上させることができ、これにより、第１に、安定したＡＴＦサーボをかけることができる。第２に、エンベロープの周波数からのＳＰ／ＬＰ検出を、ノイズに強く、安定して行うことができる。第３に、バージンテープの検出の精度を向上させることができるという効果を奏する。
【００４５】
また、本発明の映像信号記録再生方法は、上述において、上記記録媒体の走行速度が小さいときには上記検波フィルターの時定数を長くし、上記記録媒体の走行速度が大きいときには上記検波フィルターの時定数を短くするようにしたので、テープ速度が遅いとき（通常再生時）においては、記録トラック案内信号の検波出力に対する検波フィルターの時定数を長くすることで、検出された記録トラック案内信号のＣ／Ｎを向上させることができ、また、テープ速度が速いとき（ＦＦ（早送り）／ＲＥＷ（巻き戻し）時等）においては、記録トラック案内信号のエンベロープ波形を検出できる程度に検波に出力に対する検波フィルターの時定数を短くすることで、高倍速の時でも、第１に、ＡＴＦサーボをかけることができ、第２に、エンベロープの周波数からのＳＰ／ＬＰ検出を行うことができ、第３に、エンベロープ波形のピーク検出方式によりバージンテープの検出を行うことができるという効果を奏する。
【００４６】
また、本発明の映像信号記録再生方法は、上述において、上記検波手段により検波された上記記録トラック案内信号を、記録媒体の未記録判別に用いるようにしたので、Ｃ／Ｎのよい記録トラック案内信号を得ることができ、これにより、バージンテープの検出の精度を向上させることができるという効果を奏する。
【００４７】
また、本発明の映像信号記録再生方法は、上述において、上記検波手段により検波された上記記録トラック案内信号を、トラックピッチの判別に用いるようにしたので、Ｃ／Ｎのよい記録トラック案内信号を得ることができ、これにより、エンベロープの周波数からのＳＰ／ＬＰ検出を行うことができるという効果を奏する。
【図面の簡単な説明】
【図１】本発明の実施の形態に係る映像信号記録再生装置の構成を示すブロック図である。
【図２】本発明の実施の形態のＰＢ  ＡＴＦパイロット信号検波系の動作を示す動作波形図（変速再生時）である。
【符号の説明】
１……テープ、２……記録再生ヘッド、３……再生アンプ、４……ＬＰＦ、５……Ａ／Ｄ変換器、６……ｆ１ＢＰＦ＋エンベロープ検波回路、７……ｆ２ＢＰＦ＋エンベロープ検波回路、８……ｆ３ＢＰＦ＋エンベロープ検波回路、９……ｆ４ＢＰＦ＋エンベロープ検波回路、１０……ＬＰＦ、１１……ＬＰＦ、１２……ＬＰＦ、１３……ＬＰＦ、１４……ＡＴＦ位相エラー演算器、１５……ＳＰ／ＬＰ検出器、１６……バージンテープ検出器、１７……キャプスタンモータ、１８……キャプスタンＦＧ検出素子、１９……キャプスタンＦＧ波形整形回路、２０……キャプスタンＦＧ周期検出回路、２１……ＬＰＦ時定数決定回路、
【図１】
0003918268.tif 000002
【図２】
0003918268.tif 000003